(57)【要約】      （修正有）【課題】監視された空間へのアクセスを検出及び報告するためのシステム及び方法を提供する。【解決手段】監視された空間へのアクセスを検出及び報告するためのシステム（１００）であって、少なくとも１つのコントローラ（１０）と、第１の状態及び第２の状態を有する少なくとも１つの無線センサ（１４）と、コントローラ及びセンサから無線で信号を受信し、コントローラ及びセンサに無線で信号を送信する少なくとも１つのデータコレクタ（１２）とを備え、センサが、前期空間での物理的変化を感知すると、第１の状態から第２の状態に自動的に切り替わり、変化の状態についての情報を記録し、データコレクタを介して、コントローラによって照会されるまで、変化の状態についての情報を記憶し、その際に、センサが、データコレクタを介して、変化の状態についての情報をコントローラに報告するシステム。【選択図】図１
2018106680.tif 000002
【特許請求の範囲】
【請求項１】
監視された空間へのアクセスを検出及び報告するためのシステム（１００）であって、
少なくとも１つのコントローラ（１０）と、
第１の状態及び第２の状態を有する少なくとも１つの無線センサ（１４）と、
前記コントローラ及び前記センサから無線で信号を受信し、前記コントローラ及び前記センサに無線で信号を送信する少なくとも１つのデータコレクタ（１２）と
を備え、
前記センサが、前記空間での物理的変化を感知すると、前記第１の状態から前記第２の状態に自動的に切り替わり、前記変化の状態についての情報を記録し、前記データコレクタを介して、前記コントローラによって照会されるまで、前記変化の状態についての前記情報を記憶し、その際に、前記センサが、前記データコレクタを介して、前記変化の状態についての前記情報を前記コントローラに報告するシステム。
【請求項２】
前記センサが、太陽エネルギー、熱エネルギー、風エネルギー、運動エネルギー、及びバッテリ電力から成る群から選択された電力で動作する、請求項１に記載のシステム。
【請求項３】
前記システムが、前記空間のネットワークインフラから、かつ前記空間の電源から実質的に独立して機能する、請求項１に記載のシステム。
【請求項４】
前記センサが、前記変化の状態についての前記情報のみを記憶する、請求項１に記載のシステム。
【請求項５】
前記センサがエネルギーハーベスティングにより電力供給される、請求項１に記載のシステム。
【請求項６】
監視された空間へのアクセスを検出（２０２）及び報告するための方法（２００）であって、
前記空間に、第１の状態及び第２の状態を有する少なくとも１つの無線センサ（１４）を配置するステップと、
前記センサが前記空間内の物理的変化を検出すると、前記第１の状態から前記第２の状態に切り替わるように前記センサを構成するステップと
を含み、
前記センサが、前記変化の状態についての情報を記録し、コントローラ（１０）から照会コマンドを受信する（２０４）まで、前記変化の状態についての前記情報を記憶し、前記照会コマンドの受信後に前記変化の状態についての前記情報を前記コントローラに報告する（２０８、２１０）方法。
【請求項７】
前記センサに無線で前記照会コマンドを送信し、前記センサから報告された前記変化の状態についての前記情報を表示するために前記コントローラを使用するステップを更に含む、請求項６に記載の方法。
【請求項８】
前記コントローラが、データコレクタ（１２）を介して、前記照会コマンドを前記センサに送信する（２０６）ステップと、
前記データコレクタが、前記センサからの前記変化の状態についての前記情報を処理し、前記変化の状態についての前記情報を前記コントローラに送信するステップと
を更に含む、請求項６に記載の方法。
【請求項９】
前記センサが、太陽エネルギー、熱エネルギー、風エネルギー、運動エネルギー、及びバッテリ電力から成る群から選択された電力で動作する、請求項６に記載の方法。
【請求項１０】
前記センサが、前記変化の状態についての前記情報のみを記憶する、請求項６に記載の方法。
【発明の詳細な説明】
【技術分野】
【０００１】
本開示は、一般に、セキュリティー監視に関し、より具体的には、監視された空間へのアクセスを検出及び報告するための改良されたシステム及び方法に関する。
【背景技術】
【０００２】
画定された空間のセキュリティーが操作の安全性にとって重要である産業は多い。例えば、航空機産業では、航空機及び地上の人員は、航空機の発進前に、改ざんを受けやすいエリア内及びその周囲において、航空機の点検を行う必要がある。
【０００３】
保護エリアが不適切にアクセスされたかどうかを判定するための既存の１つの方法は、人員によるそのエリアの点検である。そのような人員の点検は、時間を浪費し、見逃しエリア（即ち、故意ではない「人的エラー」）が生じる可能性がある。人員による点検の別のマイナス面は、特にアクセス性に問題があるエリアを点検しようとする際に、検査を行う個人が負傷する可能性があることである。
【０００４】
保護エリアを点検するための既存のもう１つの方法は、そのエリアのビデオ監視用有線カメラを配置することを含む。しかしながら、特に航空機の場合、そのような継続的監視及びデータ送信システムは、動作中に大量の帯域幅と電力を要し、したがって、航空機のネットワークインフラに負担をかける。そのような先行技術のシステムはまた、正しく設置するために著しい労働支出を要する。
【０００５】
したがって、監視された空間へのアクセスを検出及び報告するための改良されたシステム及び方法を有することが望ましい。
【発明の概要】
【０００６】
上記の背景技術に鑑み、本開示の例示的実施態様は、監視された空間へのアクセスを検出及び報告するためのシステム及び方法を提供する。
【０００７】
システムは、少なくとも１つのコントローラと、第１の状態及び第２の状態を有する少なくとも１つの無線センサと、少なくとも１つのデータコレクタとを含む。データコレクタは、コントローラ及びセンサから無線で信号を受信し、コントローラ及びセンサに無線で信号を送信する。センサが、監視された空間での物理的変化を感知すると、第１の状態から第２の状態に自動的に切り替わり、変化の状態についての情報を記録し、データコレクタを介して、コントローラによって照会されるまで、変化の状態についての情報を記憶し、その際に、センサが、データコレクタを介して、変化の状態についての情報をコントローラに報告する。センサは、変化の状態についての情報のみを記憶し、コントローラにより照会されるときのみ、変化の状態についての情報を報告する。センサは、エネルギーハーベスティングによって電力供給され、又は太陽エネルギー、熱エネルギー、風エネルギー、運動エネルギー、若しくはバッテリ電力などの電源内蔵式とすることができる。システムは、空間のネットワークインフラから、かつ空間の電源から実質的に独立して機能する。空間での物理的変化の例は、空間へのアクセスである。
【０００８】
本開示の更なる実施態様では、少なくとも１つのコントローラと、第１の状態及び第２の状態を有する少なくとも１つの無線センサとを備える、監視された空間へのアクセスを検出及び報告するためのシステムが提供される。センサは、空間での物理的変化を感知すると、第１の状態から第２の状態に自動的に切り替わり、変化の状態についての情報を記録し、コントローラによって照会されるまで、変化の状態についての情報を記憶し、その際に、センサが、変化の状態についての情報をコントローラに報告する。
【０００９】
本開示の更なる実施態様では、監視された空間へのアクセスを検出及び報告するための方法は、空間に、第１の状態及び第２の状態を有する少なくとも１つの無線センサを配置するステップと、センサが空間内の物理的変化を検出すると、第１の状態から第２の状態に切り替わるようにセンサを構成するステップとを含み、センサが、変化の状態についての情報を記録し、コントローラから照会コマンドを受信するまで、変化の状態についての情報を記憶し、照会コマンドの受信後に変化の状態についての情報をコントローラに報告する。方法は、センサに無線で照会コマンドを送信し、センサから受信された変化の状態についての情報を表示するためにコントローラを使用するステップを更に含む。
【００１０】
本書で記述されている特徴、機能及び利点は、様々な例示的実行形態において個別に実現されうるか、又は、更なる詳細が以下の説明及び図面を参照して理解されうる、また別の例示的実行形態において組み合わされうる。
【００１１】
上記のように本開示の例示的な実施態様を一般的な用語で説明したが、これより添付図面を参照する。これらの図面は必ずしも正確な縮尺で描かれているわけではない。
【図面の簡単な説明】
【００１２】
【図１】本開示の例示的実施態様による、監視された空間へのアクセスを検出及び報告する自律型低エネルギー微小電気機械システムのブロック図である。
【図２】本開示の例示的実施態様による、監視された空間へのアクセスを検出及び報告する方法のフローチャートである。
【図３】航空機の製造及び保守方法のブロック図である。
【図４】航空機の概略図である。
【発明を実施するための形態】
【００１３】
ここから本開示のいくつかの実施態様を添付図面を参照して下記で更に詳しく説明するが、添付図面には、本開示の実施態様の全てではなく一部しか示されていない。実際、本開示の様々な実施態様は、多くの異なる形態で実施されてもよく、本書に明記されている実施態様に限定されると解釈すべきではない。むしろ、これらの例示的な実施態様は、本開示が包括的かつ完全なものになるように、かつ、当業者に本開示の範囲が十分に伝わるように、提供されている。例えば、別途記載されない限り、何かを「第１の」、「第２の」などのように言及しても、特定の順番を暗示していると解釈すべきではない。また、（特に明記されない限り）何か別のものの上にあると説明されうるものは、その代わりに下にあることもあり、逆もまた然りである。同様に、何か別の物の左にあると説明されうる物は、その代わりに右にあることもあり、逆もまた然りである。類似の参照番号は、全体を通して類似の要素を表わす。
【００１４】
本開示の例示的な実施態様は、主として、航空機産業の用途に関連して説明される。しかし、例示的な実施態様は、航空機産業とそれ以外の両方における他の多種多様な用途に関連して利用されうると理解すべきである。
【００１５】
本開示の例示的実施態様によれば、空間内の物理的変化を感知することにより、そのような空間へのアクセスを検出する、自律型低エネルギー微小電気機械システム（ＭＥＭＳ）が提供される。アクセス又は改ざんが行われていないと証明しなければならない監視エリアの場合、物理的変化の例は、ドアの開閉、引き出しの開閉、又は他の対象物の空間内外への移動を含み得る。
【００１６】
図１及び図２に示されるように、自律型低エネルギー微小電気機械システム（ＭＥＭＳ）１００は、一又は複数のコントローラ１０と、一又は複数のデータコレクタ１２と、一又は複数のセンサ１４とを含む。センサ１４は、２つの状態を有する電源内蔵式の無線構成要素であるマーカー又はセンサである。センサ１４は、エネルギーが外部源（例えば、太陽エネルギー、熱エネルギー、風エネルギー、及び運動エネルギー）から導出される点で、バッテリを介して電力供給されてもよく、又はエネルギーハーベスティングであってもよい。センサ１４は、戦略的に、監視される空間内に配置される。監視される空間内の物理的変化がセンサ１４によって検出される毎に、これは本明細書中でアクセス事象（ａｃｃｅｓｓ  ｅｖｅｎｔ）と称されるが、センサ１４は、ある状態から別の状態に切り替わる（ブロック２０２）。アクセス事象が検出されたため、センサ１４に状態の変化が生じる度に、そのようなセンサ１４内で記録が行われる。先行技術のシステムと異なり、センサ１４は、照会されない場合には、アクセス事象情報を継続的に送信しない。したがって、航空機の例では、本システム１００は、航空機の作動システムを干渉せずに、かつ航空機の電源負荷に排水をもたらす可能性がある専用の電源を必要とせずに、作動可能となる。
【００１７】
コントローラ１０は、アクセス事象について、即ち、センサ１４が変化の状態を有しているときを、センサ１４に照会するために使用される。コントローラ１０は、作業人員が監視された空間のステータスについての照会を開始できるようにする表示ユニットを含み得る。照会が開始されると、照会コマンドは、コントローラ１０から、トランシーバデータハブとして作動する低エネルギーデータコレクタ１２に無線で送信される（ブロック２０４）。データコレクタ１２は、照会コマンドをセンサ１４に送信する（ブロック２０６）。
【００１８】
センサ１４は、センサ１４がアクセス事象を感知したかどうかを意味している、センサ１４の状態が変化したかどうかについての情報で照会コマンドに応答する。そのような情報は、センサ１４からデータコレクタ１２に無線で返信され（ブロック２０８）、データコレクタ１２が、応答信号を処理し、データをコントローラ１０に返信し、アクセス事象を検出したセンサ１４を特定する（ブロック２１０）。しかしながら、幾つかの例示的実施態様では、データコレクタ１２を必要としなくてもよく、コントローラ１０とセンサ１４との間で、照会コマンドが直接送信され、応答が直接受信されてもよいと理解すべきである。
【００１９】
作業人員は、コントローラ１０を介して、いったんアクセス事象の通知を受信すると、そのエリアが不適切にアクセス又は改ざんされたかどうかを確認するために、人員の点検などのように、そのようなエリアの点検レベルを上げることができる。
【００２０】
本開示のシステム１００がエネルギーハーベスティングでありうる無線構成要素を利用し、これにより航空機が電源に依存しなくなるので、アクセス事象を検出するための前述のシステム１００及び方法２００は、先行技術の監視システムのコスト、複雑さ、及び労働集約的な設備を実質的に軽減する。構成要素の小型化によりまた、人員による点検が難しく、時間を浪費し、負傷する可能性がある非常に狭い遠隔空間での利用も可能になる。加えて、センサ１４は、状態の変化が発生したかどうかについての情報のみを記憶し、そのようなセンサ１４は照会されたときのみ報告するので、継続的にデータを報告する先行技術のシステムでの場合のようなデータ送信用の大量の帯域幅を要するシステム１００に制約されることはない。要するに、本開示のシステム１００は、航空機の動作環境から実質的に独立して機能することが可能である。
【００２１】
航空機の例はシステム１００の例示的実施態様を説明するために本書で使用されているが、システム１００は、倉庫の在庫管理などの他の種類の用途で用いられてもよいと理解すべきである。システム１００は、代替的形態の輸送機関、例えばバスや電車などで更に実施することができる。
【００２２】
本開示の例示的実施態様によれば、空間へのアクセスを検出するための改良されたシステム及び方法の様々な構成要素は、単独のハードウェア、或いは、一又は複数のコンピュータプログラムコード指令、プログラム指令、又はコンピュータ可読記憶媒体からの実行可能コンピュータ可読プログラムコード指令の指示下にあるハードウェアを含む様々な手段によって実施され得る。
【００２３】
１つの実施例では、本明細書に図示及び記載されたデータを任意に拡張及び圧縮するためのシステム及び方法を機能させる又は実装するように構成されている一又は複数の装置が提供され得る。複数の装置を含む実施例では、それぞれの装置は、有線又は無線ネットワークなどを介して直接的に又は間接的になど、任意の数の異なる方法で、互いに接続されてもよく、通信してもよい。
【００２４】
一般に、本開示のシステム及び方法に対する例示的実施態様の装置は、上記のように、メモリ（例えば、記憶デバイス）に接続されたプロセッサ（例えば、プロセッサユニット）などの多数の構成要素のうちの一又は複数を含みうる。プロセッサは通常、例えば、データ、コンピュータ可読プログラムコード、指令等（総体的に「コンピュータプログラム」、例えばソフトウェア、ファームウェアなど）、及び／又は、他の好適な電子情報といった情報を処理することが可能な、任意のハードウェアである。より具体的には、例えば、プロセッサは、プロセッサに搭載した状態で記憶された、若しくは（同一の又は別の装置の）メモリに記憶された、コンピュータプログラムを実行するよう設定されうる。プロセッサは、特定の実施態様に応じて、いくつかのプロセッサ、マルチプロセッサコア、又は他の何らかの種類のプロセッサでありうる。更に、プロセッサは、単一のチップ上に一又は複数の二次プロセッサと共に主要プロセッサが存在する、いくつかのヘテロジニアスプロセッサシステムを使用して実施されうる。別の具体例としては、プロセッサは、同じ種類の複数のプロセッサを包含する対称型マルチプロセッサシステムでありうる。更に別の実施例では、プロセッサは、一又は複数の特定用途向け集積回路（ＡＳＩＣ）、フィールドプログラマブルゲートアレイ（ＦＰＧＡ）などとして具現化されうるか、そうでなければ、それらを含みうる。ゆえに、プロセッサは一又は複数の機能を実施するためのコンピュータプログラムを実行することが可能でありうるが、プロセッサの様々な例は、コンピュータプログラムの支援がなくとも、一又は複数の機能を実施することが可能でありうる。
【００２５】
メモリは通常、一時的に及び／又は恒久的に、例えばデータ、コンピュータプログラム及び／又は他の好適な情報などの情報を記憶することが可能な、任意のハードウェアである。メモリは、揮発性の及び／又は不揮発性のメモリを含み、かつ固定的又は取り外し可能でありうる。適切なメモリの例は、ランダムアクセスメモリ（ＲＡＭ）、読み出し専用メモリ（ＲＯＭ）、ハードドライブ、フラッシュメモリ、サムドライブ、取り外し可能コンピュータディスケット、光ディスク、磁気テープ、又はそれらの何らかの組み合わせを含む。光ディスクは、コンパクトディスク（読み出し専用メモリ（ＣＤ−ＲＯＭ）、コンパクトディスク）、読み出し／書き込み（ＣＤ−Ｒ／Ｗ）、ＤＶＤなどを含みうる。様々な事例において、メモリは、コンピュータ可読記憶媒体と称されることがあり、情報を記憶することが可能な非一時的デバイスとして、ある場所から別の場所へ情報を運搬することが可能な一時的電気信号などのコンピュータ可読伝送媒体とは区別可能でありうる。本書で説明されているコンピュータ可読媒体とは、概して、コンピュータ可読記憶媒体又はコンピュータ可読伝送媒体を表しうる。
【００２６】
メモリに加えて、プロセッサも、情報を表示し、伝送し、及び／又は受信するための一又は複数のインターフェースに接続されうる。インターフェースは、通信インターフェース（例えば、通信ユニット）、及び／又は一又は複数のユーザインターフェースを含みうる。通信インターフェースは、他の装置、ネットワークなどへ情報を伝送し、及び／又はそれらから情報を受信するよう設定されうる。通信インターフェースは、物理的な（有線の）及び／又は無線の通信リンクによって、情報を送信及び／又は受信するよう設定されうる。好適な通信インターフェースの例は、ネットワークインターフェースコントローラ（ＮＩＣ）、無線ＮＩＣ（ＷＮＩＣ）などを含む。
【００２７】
ユーザインターフェースは、ディスプレイ及び／又は一又は複数のユーザ入力インターフェース（例えば、入出力ユニット）を含みうる。ディスプレイは、ユーザに情報を提示するか、又は他の方法で表示するよう設定されてよく、好適な実施例としては液晶ディスプレイ（ＬＣＤ）、発光ダイオードディスプレイ（ＬＥＤ）、プラズマディスプレイパネル（ＰＤＰ）などを含む。ユーザ入力インターフェースは、有線又は無線であり、かつ、処理、記憶及び／又は表示用などの装置にユーザからの情報を受け入れるよう設定されうる。ユーザ入力インターフェースの好適な例は、マイク、画像又はビデオ捕捉デバイス、キーボード又はキーパッド、ジョイスティック、（タッチスクリーンとは別個の、又はタッチスクリーンに組み込まれた）タッチ感応サーフェス、生体認証センサなどを含む。ユーザインターフェースは、プリンタやスキャナなどの周辺機器と通信するための、一又は複数のインターフェースをさらに含みうる。
【００２８】
上記のように、プログラムコード指令は、本書で説明されているデータを任意に拡張及び圧縮するためのシステム及び方法の機能を実装するために、メモリに記憶され、プロセッサによって実行されうる。任意の適切なプログラムコード指令は、理解されるように、特定の機械を作製するために、コンピュータ可読記憶媒体からコンピュータ又は他のプログラマブル装置に読み込まれてよく、そのため、その特定の機械が、本書で特定される機能を実装するための手段となる。また、これらのプログラムコード命令はコンピュータ可読記憶媒体にも記憶され、コンピュータ、プロセッサ、又はその他のプログラマブル装置を特定の方法で機能させることにより特定のマシン又は特定の製造品を生成することができる。コンピュータ可読記憶媒体に記憶された命令は、製造品を生産することができ、この製造品は本明細書に記載される機能を実行するための手段となる。コンピュータ、プロセッサ又は他のプログラマブル装置が、コンピュータ、プロセッサ又は他のプログラマブル装置上で或いはそれらによって実施される工程を実行するように設定するため、プログラムコード命令がコンピュータ可読記憶媒体から読み出され、コンピュータ、プロセッサ又は他のプログラマブル装置に読み込まれうる。
【００２９】
一度に１つの指令が読み出され、読み込まれ、かつ実行されるように、プログラムコード指令の読み出し、読み込み及び実行は、連続的に実施されうる。いくつかの例示的な実行形態では、複数の指令をまとめて読み出し、読み込み、かつ／又は実行するように、読み出し、読み込み、及び／又は実行が、並行して実施されうる。コンピュータ、プロセッサ、又は他のプログラマブル装置によって実行される命令により、本書で説明されている機能を実行するための工程がもたらされるように、プログラムコード命令の実行により、コンピュータによって実行されるプロセスが生成されうる。
【００３０】
プロセッサによる指令の実行、又は、コンピュータ可読記憶媒体における指令の保存により、特定の機能を実施するための動作の組み合わせがサポートされる。一又は複数の機能、及び機能の組み合わせは、特殊用途ハードウェアに基づくコンピュータシステム、及び／又は、特定の機能を実行するプロセッサ、或いは、特殊用途ハードウェアとプログラムコード指令との組み合わせによって実施されうることも、理解されよう。
【００３１】
上記のように、本開示の実施例は、航空機の製造及び保守に照らして説明されうる。図３及び図４に示されるように、製造前の段階において、例示的な方法５００は、航空機６０２の仕様及び設計（ブロック５０２）と、材料調達（ブロック５０４）とを含みうる。製造段階では、航空機６０２の構成要素及びサブアセンブリの製造（ブロック５０６）と、システムインテグレーション（ブロック５０８）とが行われうる。その後、航空機６０２は認可及び納品（ブロック５１０）を経て運航（ブロック５１２）に供されうる。運航期間中、航空機６０２には、定期的な整備及び保守（ブロック５１４）が予定されうる。定期的な整備及び保守は、航空機６０２の一又は複数のシステムの改変、再構成、改修などを含みうる。
【００３２】
例示的な方法５００のプロセスの各々は、システムインテグレータ、第三者、及び／又は顧客などのオペレータによって実行又は実施されうる。本明細書においては、システムインテグレータは、任意の数の航空機製造業者及び主要システム下請業者を含みうるがそれらに限定されず、第三者は、任意の数のベンダー、下請業者、及び供給業者を含みうるがそれらに限定されず、かつ、オペレータは、航空会社、リース会社、軍事団体、サービス機関などでありうる。
【００３３】
図４に示すように、例示的な方法５００によって製造された航空機６０２は、複数の高レベルシステム６００及び内装６１４を備えた機体６１２を含みうる。高レベルシステム６００の実施例としては、推進システム６０４、電気システム６０６、油圧システム６０８、及び環境システム６１０のうちの１つ又は複数が含まれる。任意の数の他のシステムが含まれてよい。航空宇宙産業の例を示しているが、本書で開示されている原理は、自動車産業のような他の産業にも適用されうる。そのため、本書で開示されている原理は、航空機６０２に加え、陸上ビークル、海洋ビークル、宇宙ビークルなどといった他のビークルにも適合しうる。
【００３４】
本書で示され、説明されている装置（複数可）及び方法（複数可）は、製造及び保守方法５００の、一又は複数の任意の段階において用いられうる。例えば、構成要素及びサブアセンブリの製造５０６に対応する構成要素又はサブアセンブリは、航空機６０２の運航期間中に製造される構成要素又はサブアセンブリと同様の様態で製作又は製造されうる。また、装置（複数可）、方法（複数可）又はそれらの組み合わせの一又は複数の例は、例えば、航空機６０２の組立てを著しく効率化するか、又はコストを削減することにより、製造段階５０６及び５０８において利用されうる。同様に、装置又は方法実現の一又は複数の実施例、或いはそれらの組み合わせは、限定するものではないが例としては、航空機６０２の運航期間中に、例えば整備及び保守（ブロック５１４）で利用され得る。
【００３５】
更に、本開示は、下記の条項による実施形態を含む。
条項１．  監視された空間へのアクセスを検出及び報告するためのシステムであって：少なくとも１つのコントローラと；第１の状態及び第２の状態を有する少なくとも１つの無線センサと；コントローラ及びセンサから無線で信号を受信し、コントローラ及びセンサに無線で信号を送信する少なくとも１つのデータコレクタとを備え；センサが、空間での物理的変化を感知すると、第１の状態から第２の状態に自動的に切り替わり、変化の状態についての情報を記録し、データコレクタを介して、コントローラによって照会されるまで、変化の状態についての記情報を記憶し、その際に、センサが、データコレクタを介して、変化の状態についての情報をコントローラに報告するシステム。
条項２．  センサが、太陽エネルギー、熱エネルギー、風エネルギー、運動エネルギー、及びバッテリ電力から成る群から選択された電力で動作する、条項１に記載のシステム。
条項３．  システムが、空間のネットワークインフラから、かつ空間の電源から実質的に独立して機能する、条項１に記載のシステム。
条項４．  センサが、変化の状態についての情報のみを記憶する、条項１に記載のシステム。
条項５．  センサが、コントローラにより照会されるときのみ、変化の状態についての情報を報告する、条項１に記載のシステム。
条項６．  センサがエネルギーハーベスティングにより電力供給される、条項１に記載のシステム。
条項７．  空間での物理的変化が空間へのアクセスを含む、条項１に記載のシステム。
条項８．  監視された空間へのアクセスを検出及び報告するためのシステムであって：少なくとも１つのコントローラと；第１の状態及び第２の状態を有する少なくとも１つの無線センサとを備え；センサが、空間での物理的変化を感知すると、第１の状態から第２の状態に自動的に切り替わり、変化の状態についての情報を記録し、コントローラによって照会されるまで、変化の状態についての記情報を記憶し、その際に、センサが、変化の状態についての情報をコントローラに報告するシステム。
条項９．  センサが、太陽エネルギー、熱エネルギー、風エネルギー、運動エネルギー、及びバッテリ電力から成る群から選択された電力で動作する、条項８に記載のシステム。
条項１０．  システムが、空間のネットワークインフラから、かつ空間の電源から実質的に独立して機能する、条項８に記載のシステム。
条項１１．  センサが、変化の状態についての情報のみを記憶する、条項８に記載のシステム。
条項１２．  センサがエネルギーハーベスティングにより電力供給される、条項８に記載のシステム。
条項１３．  空間での物理的変化が空間へのアクセスを含む、条項８に記載のシステム。
条項１４．  監視された空間へのアクセスを検出及び報告するための方法であって：空間に、第１の状態及び第２の状態を有する少なくとも１つの無線センサを配置するステップと；センサが空間内の物理的変化を検出すると、第１の状態から第２の状態に切り替わるようにセンサを構成するステップと
を含み；センサが、変化の状態についての情報を記録し、コントローラから照会コマンドを受信するまで、変化の状態についての情報を記憶し、照会コマンドの受信後に変化の状態についての情報をコントローラに報告する方法。
条項１５．  センサに無線で照会コマンドを送信し、センサから報告された変化の状態についての情報を表示するためにコントローラを使用するステップを更に含む、条項１４に記載の方法。
条項１６．  コントローラが、データコレクタを介して、照会コマンドをセンサに送信するステップと；データコレクタが、センサからの変化の状態についての情報を処理し、変化の状態についての情報をコントローラに送信するステップとを更に含む、条項１４に記載の方法。
条項１７．  センサが、太陽エネルギー、熱エネルギー、風エネルギー、運動エネルギー、及びバッテリ電力から成る群から選択された電力で動作する、条項１４に記載の方法。
条項１８．  センサが、変化の状態についての情報のみを記憶する、条項１４に記載の方法。
条項１９．  センサが、コントローラにより照会されるときのみ、変化の状態についての情報を報告する、条項１４に記載の方法。
条項２０．  構成するステップが、空間のネットワークインフラから、かつ空間の電源から実質的に独立して生じる、条項１４に記載の方法。
【００３６】
本書で開示されている装置及び方法の種々の実施例は、多種多様な構成要素、特徴及び機能を含む。本書が開示する装置及び方法の様々な実施例には、本書が開示する装置及び方法の任意の他の実施例中の、任意の構成要素、特徴及び機能が、任意の組み合わせで含まれうること、並びに、こうした可能性がすべて、本開示の本質及び範囲に含まれる意図であることを理解すべきである。
【００３７】
これらの開示内容に関連して、上記の説明及び添付図面に提示された教示の恩恵を有する本開示の多数の修正例及び他の実施態様が、当業者には想起されるであろう。したがって、本開示は開示されている特定の実施態様に限定されるものではないこと、及び、変形例及びその他の実施態様も添付の特許請求の範囲に含まれるよう意図されていると理解すべきである。更に、上述の説明及び添付図面は、要素及び／又は機能のある例示的な組み合わせに照らして、例示的な実行形態を説明しているが、要素及び／又は機能の種々の組み合わせが、付随する特許請求の範囲から逸脱せずに、代替的な実行形態によって提供されうることを、認識すべきである。これに関しては、付随する請求項のうちのいくつかに明記されうるように、例えば、上記で明示的に説明されたものとは異なる要素及び／又は機能の組み合わせも想定される。本書では特定の用語が用いられているが、それらは、一般的な、及び説明的な意味でのみ使用されており、限定を目的とするものではない。
【図１】
2018106680.tif 000003
【図２】
2018106680.tif 000004
【図３】
2018106680.tif 000005
【図４】
2018106680.tif 000006
【外国語明細書】
2018106680000001.pdf
2018106680000002.pdf
2018106680000003.pdf
2018106680000004.pdf